(57)【要約】【課題】画像処理の効果を分かりやすく提示し、ひいては、ユーザの利便性を向上することのできる映像表示装置及びその制御方法を提供する。【解決手段】本発明の画像表示装置は、パラメータに応じた画像処理を画像に対して施す画像処理手段と、パラメータの値をユーザに調整させる調整手段と、パラメータの値が調整される際に、画像処理手段を通していない画像と画像処理手段から出力される画像とを、それぞれ画像処理前の画像及び画像処理後の画像として、表示部に表示させる制御手段と、を有し、制御手段は、パラメータの値が０から所定の範囲内の場合に、パラメータの値が０のときに画像処理前の画像と画像処理後の画像の画素値の差分が０となり、且つ、差分がパラメータの値に比例して変化するように生成された代替画像を、画像処理後の画像とする。【選択図】図１
2012008380.tif 000002
【特許請求の範囲】
【請求項１】
設定されたパラメータに応じた画像処理を画像に対して施す画像処理手段と、
前記画像処理手段のパラメータの値をユーザに調整させる調整手段と、
前記調整手段により前記パラメータの値が調整される際に、前記画像処理手段を通していない画像と前記画像処理手段から出力される画像とを、それぞれ画像処理前の画像及び画像処理後の画像として、表示部に表示させる制御手段と、
を有し、
前記制御手段は、ユーザに入力されたパラメータの値が０から所定の範囲内の場合に、前記画像処理手段から出力される画像の代わりに、パラメータの値が０のときに前記画像処理前の画像と前記画像処理後の画像の画素値の差分が０となり、且つ、前記差分がパラメータの値に比例して変化するように生成された代替画像を、前記画像処理後の画像として表示部に表示させる
ことを特徴とする画像表示装置。
【請求項２】
前記画像処理手段は、画像に対してそれぞれが画像処理を施す複数の画像処理部を有し、
前記調整手段は、前記複数の画像処理部のいずれか１つの画像処理部のパラメータの値をユーザに調整させるものである
ことを特徴とする請求項１に記載の画像表示装置。
【請求項３】
ユーザによってパラメータの値が入力される度に、パラメータの値と画素値の関係を表す１次関数であって、パラメータの値が０のときの画素値が前記画像処理手段に入力される画像の画素値となり、パラメータの値がユーザに入力されたパラメータの値のときの画素値が前記画像処理手段から出力される画像の画素値となる１次関数を算出する算出手段を更に有し、
前記制御手段は、前記算出手段で算出された１次関数の傾きが所定値より大きい場合に、前記画像処理手段から出力される画像の代わりに、前記代替画像を前記画像処理後の画像として表示部に表示させる
ことを特徴とする請求項１または２に記載の画像表示装置。
【請求項４】
前記算出手段で算出された１次関数の傾きが前記所定値以下の値から前記所定値より大きな値へ切り替わった場合に、該１次関数を特定関数として記憶する記憶手段を更に有し、
前記代替画像は、前記特定関数を用いて生成された画像である
ことを特徴とする請求項３に記載の画像表示装置。
【請求項５】
設定されたパラメータに応じた画像処理を画像に対して施す画像処理ステップと、
前記画像処理ステップのパラメータの値をユーザに調整させる調整ステップと、
前記調整ステップにより前記パラメータの値が調整される際に、前記画像処理ステップを通していない画像と前記画像処理ステップで出力される画像とを、それぞれ画像処理前の画像及び画像処理後の画像として、表示部に表示させる制御ステップと、
を有し、
前記制御ステップでは、ユーザに入力されたパラメータの値が０から所定の範囲内の場合に、前記画像処理ステップで出力される画像の代わりに、パラメータの値が０のときに前記画像処理前の画像と前記画像処理後の画像の画素値の差分が０となり、且つ、前記差分がパラメータの値に比例して変化するように生成された代替画像を、前記画像処理後の画像として表示部に表示させる
ことを特徴とする画像表示装置の制御方法。
【発明の詳細な説明】
【技術分野】
【０００１】
本発明は、画像表示装置及びその制御方法に関する。
【背景技術】
【０００２】
従来、放送信号の受信および映像信号のデコードを行う放送受信ＬＳＩと、デコードされた映像信号に画像処理を施して、該映像信号を高画質化する画像処理ＬＳＩの２つのＬＳＩで構成されたデジタルＴＶ装置がある。このようなデジタルＴＶ装置において、動画像上に重畳される静止画像（ＧＵＩデータ）などのグラフィックス信号は、放送受信ＬＳＩで生成されることが多い。しかしながら、このような画像表示装置では、動画像を高画質にすることを主目的とする画像処理が映像信号（動画像）に施される。グラフィックス信号にそのような画像処理を施すと、そのエッジがぼける等の画質の劣化が生じてしまうため、グラフィックス信号には画像処理を施さないことが望ましい。そこで、放送受信ＬＳＩから映像信号とグラフィックス信号を別々に出力し、画像処理ＬＳＩで映像信号にのみ画像処理を施し、該画像処理が施された映像信号にグラフィックス信号を合成する構成が多く用いられている。
【０００３】
また、デジタルＴＶ装置の画質調整ＧＵＩとして、画像処理（色補正）前のパッチ画像及び画像処理後のパッチ画像を並べて表示し、画像処理の効果をユーザへ提示するものがある。図８は画質調整ＧＵＩを表す模式図である。図８において、画像処理前のパッチ画像（基準色のパッチ画像）が左側に示されており、或る画質調整項目の補正値（図中の“補正量”）を１０に設定した場合の、画像処理後のパッチ画像が右側に示されている。ユーザは左右のパッチ画像を比較することによって画質を好みの画質に調整することができる。このような画質調整ＧＵＩにおいては、予め計算した画像処理後の画素値を記憶しておき、ユーザの設定した補正値に応じて画像処理後のパッチ画像の画素値を選択する方法が一般的である。しかしながら、ユーザの設定できるパラメータ（補正値）の数や幅の増大が進んでおり、記憶容量の観点から全てのパラメータに対する画像処理後の画素値を記憶するのは困難になってきている。
【０００４】
そこで、同じ画素値の２つのパッチ画像Ｃ１，Ｃ２のうち、パッチ画像Ｃ１を映像信号として画像処理ＬＳＩへ入力し、パッチ画像Ｃ２をグラフィックス信号として画像処理ＬＳＩへ入力する方法が考えられる。この方法によれば、パッチ画像Ｃ１にのみ画像処理ＬＳＩで画像処理が施されるため、画像処理前のパッチ画像と画像処理後のパッチ画像を表示することができる。
【０００５】
しかし、画像処理ＬＳＩの画像処理回路は複数の画像処理部を有するのが一般的であるが、１つの画質調整項目で全ての画像処理部が制御されるわけでない（他の画質調整項目によっても画像処理部が制御される）。そのため、ユーザが或る画質調整項目の補正値を０（補正無し）に設定した場合であっても画像処理前のパッチ画像の画素値と画像処理後のパッチ画像の画素値とが一致せず、ユーザの混乱を招く虞がある。
【０００６】
補正値が０の場合に画像処理前のパッチ画像の画素値と画像処理後のパッチ画像の画素値を一致させるため、補正値に応じてパッチ画像Ｃ１の転送経路を切替える方法が考えられる。例えば、補正値が０の場合はパッチ画像Ｃ１もグラフィックス信号として画像処理ＬＳＩへ入力し、補正値が０以外の場合はパッチ画像Ｃ１を映像信号として画像処理ＬＳＩへ入力する方法が考えられる。この方法によれば、補正値が０の場合はパッチ画像Ｃ１にも画像処理は施されないため、画像処理前のパッチ画像の画素値と画像処理後のパッチ画像の画素値とを一致させることができる。
画像データの転送経路を切替える方法は、例えば、特許文献１に開示されている。
【先行技術文献】
【特許文献】
【０００７】
【特許文献１】特開２００５−１９２１１６号公報
【発明の概要】
【発明が解決しようとする課題】
【０００８】
しかしながら、補正値が０の場合にのみパッチ画像Ｃ１をグラフィックス信号として転送すると、補正値が０の場合と１の場合とで画像処理後のパッチ画像の画素値が大きく異なることとなり、ユーザに違和感を与えることとなる。
また、上述した特許文献１に開示の技術は、ユーザの設定に応じて決定される閾値を用いて画像転送経路の切替えを行うものであるが、画質調整ＧＵＩにおいて、転送経路の切替えに最適なパラメータの閾値は画像処理回路の動作状態によって異なる。
【０００９】
本発明は、画像処理の効果を分かりやすく提示し、ひいては、ユーザの利便性を向上することのできる映像表示装置及びその制御方法を提供することを目的とする。
【課題を解決するための手段】
【００１０】
本発明の画像表示装置は、設定されたパラメータに応じた画像処理を画像に対して施す画像処理手段と、前記画像処理手段のパラメータの値をユーザに調整させる調整手段と、前記調整手段により前記パラメータの値が調整される際に、前記画像処理手段を通していない画像と前記画像処理手段から出力される画像とを、それぞれ画像処理前の画像及び画像処理後の画像として、表示部に表示させる制御手段と、を有し、前記制御手段は、ユーザに入力されたパラメータの値が０から所定の範囲内の場合に、前記画像処理手段から出力される画像の代わりに、パラメータの値が０のときに前記画像処理前の画像と前記画像処理後の画像の画素値の差分が０となり、且つ、前記差分がパラメータの値に比例して変化するように生成された代替画像を、前記画像処理後の画像として表示部に表示させることを特徴とする。
【００１１】
本発明の画像表示装置の制御方法は、設定されたパラメータに応じた画像処理を画像に対して施す画像処理ステップと、前記画像処理ステップのパラメータの値をユーザに調整させる調整ステップと、前記調整ステップにより前記パラメータの値が調整される際に、前記画像処理ステップを通していない画像と前記画像処理ステップで出力される画像とを、それぞれ画像処理前の画像及び画像処理後の画像として、表示部に表示させる制御ステップと、を有し、前記制御ステップでは、ユーザに入力されたパラメータの値が０から所定の範囲内の場合に、前記画像処理ステップで出力される画像の代わりに、パラメータの値が０のときに前記画像処理前の画像と前記画像処理後の画像の画素値の差分が０となり、且つ、前記差分がパラメータの値に比例して変化するように生成された代替画像を、前記画像処理後の画像として表示部に表示させることを特徴とする。
【発明の効果】
【００１２】
本発明によれば、映像表示装置及びその制御方法において、画像処理の効果を分かりやすく提示し、ひいては、ユーザの利便性を向上することができる。
【図面の簡単な説明】
【００１３】
【図１】本実施形態に係る画像表示装置の概略構成の一例を表すブロック図。
【図２】画像処理制御部の概略構成の一例を表すブロック図。
【図３】画質調整ＧＵＩ実行部の処理の一例を表すフロー図。
【図４】ＧＵＩ生成部の処理の一例を表すフロー図。
【図５】転送経路切替判断部の概略構成の一例を表すブロック図。
【図６】補間テーブルの一例を表す模式図。
【図７】切替判断部の処理の一例を表すフロー図。
【図８】画質調整ＧＵＩの一例を表す模式図。
【図９】ユーザ設定値と補正量との関係の一例を表す模式図。
【発明を実施するための形態】
【００１４】
以下、本実施形態に係る画像表示装置及びその制御方法について説明する。
図１は、本実施形態に係る映像表示装置の構成の概略を表すブロック図である。放送受信ＬＳＩ１００は、放送信号を受信し、受信した放送信号をデコードして映像信号を生成するＬＳＩ（Large Scale Integrated circuit）である。放送受信ＬＳＩ１００は、放送受信部１０１、復号部１０２、第１合成部１０３、第１グラフィックスバッファ１０４、第２グラフィックスバッファ１０５などを有する。また、画像処理制御部１０６、画質調整ＧＵＩ実行部１０７、ＧＵＩ生成部１０８、パッチ生成部１０９、転送経路切替判断部１１０などを有する。
【００１５】
放送受信部１０１は、アンテナまたはケーブルテレビ回線を介して入力されたデジタル放送信号を受信する。放送受信部１０１は、複数のチャンネルの信号を受信するように構成されており、受信したデジタル放送信号から、選択されたチャンネルの信号を選局する。また、選局したチャンネルの信号に対して、復調処理、誤り訂正処理等、デジタル放送規格により定められた処理を施し、ＴＳ（Transport Stream）信号を生成する。
【００１６】
復号部１０２は、放送受信部１０１により生成されたＴＳ信号を、映像信号および音声信号などのコンテンツ信号と、ＳＩ（Service Information）情報などの制御信号とに分
離する。ここで、コンテンツ信号は暗号化されているため、復号部１０２は、コンテンツ信号の復号を行う。また、復号された信号はＭＰＥＧ２（Motion Picture Expert Group phase 2）等の動画圧縮方式により圧縮されているため、復号部１０２は、複号されたコ
ンテンツ信号に伸張処理を施し、映像信号を生成する。
【００１７】
第１合成部１０３は、復号部１０２より入力される映像信号と、第１グラフィックスバッファ１０４より入力されるグラフィックス信号とを合成して出力する。合成は、映像信号に基づく画像の上にグラフィックス信号に基づく画像が重畳されるように行われる。
【００１８】
第１グラフィックスバッファ１０４は、ＧＵＩ生成部１０８およびパッチ生成部１０９により生成されたグラフィックス信号を一時記憶し、第１合成部１０３へ出力する。第１グラフィックスバッファ１０４より出力されたグラフィックス信号は第１合成部１０３において映像信号と合成された後、映像信号として画像処理ＬＳＩ１２０へ出力される。
第２グラフィックスバッファ１０５は、ＧＵＩ生成部１０８により生成されたグラフィックス信号を一時記憶し、第２合成部１２３へ出力する。第２グラフィックスバッファより出力されたグラフィックス信号は、放送受信ＬＳＩ１００において映像信号と合成されることなく、そのまま画像処理ＬＳＩ１２０へ出力される。
すなわち、第１グラフィックスバッファより出力されたグラフィックス信号には画像処理ＬＳＩ１２０において画像処理が施されるが、第２グラフィックスバッファより出力されたグラフィックス信号には画像処理は施されない。
【００１９】
画像処理制御部１０６は、画像処理ＬＳＩ１２０の第１画像処理部１２１および第２画像処理部１２２において映像信号に施される画像処理を制御する。画像処理制御部１０６の詳細については後述する。
画質調整ＧＵＩ実行部１０７は、ＧＵＩ生成部１０８を利用して、画質調整ＧＵＩ（Graphical User Interface）の生成を制御する。また、パッチ生成部１０９および転送経路
切替判断部１１０を利用して、画質調整ＧＵＩで用いられるパッチ画像の転送経路の切替えを制御する。画質調整ＧＵＩ実行部１０７の詳細については後述する。
ＧＵＩ生成部１０８は、画質調整ＧＵＩ実行部１０７からの指示に応じて画質調整ＧＵＩを生成する。具体的には、最終的に画像処理前の画像となる第１画像、最終的に画像処理後の画像となる第２画像などを生成する。ＧＵＩ生成部１０８の詳細については後述する。
【００２０】
パッチ生成部１０９は、画質調整ＧＵＩ実行部１０７からの指示に応じて、転送経路を切替えるための処理（転送経路切替処理）に用いる画像（参照用パッチ画像）を生成する。具体的には、画質調整ＧＵＩ実行部１０７から指示された位置、大きさ、画素値の参照用パッチ画像が生成され、第１グラフィックスバッファ１０４へ出力される。
【００２１】
転送経路切替判断部１１０は、画像処理ＬＳＩ１２０の画素値取得部１２４で取得された画素値に応じて、画質調整ＧＵＩで用いられるパッチ画像（第２画像）の転送経路を切替える（転送経路切替処理）。具体的には、転送経路切替判断部１１０の詳細については後述する。
【００２２】
画像処理ＬＳＩ１２０は、放送受信ＬＳＩ１００より出力された映像信号やグラフィックス信号を取得し、映像信号に画像処理を施すＬＳＩである。画像処理ＬＳＩ１２０は、第１画像処理部１２１、第２画像処理部１２２、第２合成部１２３、画素値取得部１２４などを有する。
【００２３】
第１画像処理部１２１および第２画像処理部１２２は、それぞれ、画像（映像信号）に対して設定されたパラメータに応じた画像処理を施す（以下、第１画像処理部１２１と第２画像処理部１２２を併せて画像処理回路と記載する）。画像処理は、例えば、ガンマ調整処理やノイズリダクション処理等である。なお、画像処理部の数は２つに限らない。画像処理部は３つ以上であってもよい。また、ユーザは、複数の画像処理部のいずれか１つの画像処理部のパラメータの値を不図示のリモコン等を用いて調整することができる。
【００２４】
第２合成部１２３は、第２画像処理部１２２より出力された映像信号（画像処理済みの映像信号）と、第２グラフィックスバッファ１０５より出力されたグラフィックス信号とを合成し、不図示の表示パネル（表示部）へ出力する。合成は第２画像処理部１２２より出力された映像信号に基づく画像の上に第２グラフィックスバッファ１０５より出力されたグラフィックス信号に基づく画像が重畳されるように行われる。すなわち、第２画像処理部１２２より出力された映像信号のうち、第２グラフィックスバッファ１０５より出力されたグラフィックス信号に基づく画像によって上書きされた領域の信号は表示パネルへ出力されない。
【００２５】
画素値取得部１２４は、転送経路切替判断部１１０からの要求に応じて第２画像処理部１２２より出力された映像信号の中から、画質調整ＧＵＩ実行部１０７に指示された座標の画素値を取得する。具体的には、画素値取得部１２４は、パッチ生成部１０９によって生成され、第１画像処理部１２１，第２画像処理部１２２によって画像処理が施された参照用パッチ画像の画素値を取得する。
【００２６】
次に、画像処理制御部１０６について詳細に説明する。図２は、画像処理制御部１０６の構成の概略を表すブロック図である。
ユーザ設定値入力部２０１は、画質調整ＧＵＩ実行部１０７からユーザ設定値を受信し、パラメータ算出部２０２へ送信する。ユーザ設定値は、画質調整ＧＵＩを利用してユーザが設定した値（画質調整項目の補正値）であり、第１画像処理部１２１や第２画像処理部１２２へ設定するパラメータとは異なる値であることが一般的である。画質調整ＧＵＩ
の画質調整項目は、例えば、コントラスト等である。
【００２７】
パラメータ算出部２０２は、ユーザ設定値入力部２０１から受信したユーザ設定値を、第１画像処理部１２１または第２画像処理部１２２へ設定するパラメータへ変換し、パラメータ設定部２０３へ送信する。
【００２８】
パラメータ設定部２０３は、パラメータ算出部２０２より受信したパラメータを、パラメータの種類に応じて第１画像処理部１２１または第２画像処理部１２２へ設定する。パラメータの設定は、レジスタ書き込みのように画像処理ハードウエアを直接制御する方法であってもよいし、画像処理ＬＳＩ１２０上で動作する画像処理制御ソフトウエアへパラメータを送信する方法であってもよい。
【００２９】
次に、画質調整ＧＵＩ実行部１０７について詳細に説明する。図３は、画質調整ＧＵＩ実行部１０７の処理を表すフロー図である。
まず、画質調整ＧＵＩ実行部１０７は、ユーザからの指示を待つ（Ｓ３０１）。ユーザからの指示はリモコン等を用いて行われる。リモコンには、通常、上下左右キーや決定キー等が備わっており、ユーザは、上下左右キーを用いて画質調整項目の選択や補正値の設定を行う。
【００３０】
ユーザからの指示があると、画質調整ＧＵＩ実行部１０７は、該指示が画質調整の終了指示であるか否かを判定する（Ｓ３０２）。指示が終了指示であった場合には、画質調整ＧＵＩの生成を終了する。指示が終了指示でなかった場合には、画質調整ＧＵＩ実行部１０７は、該指示によってユーザ設定値（補正値）が変更されたか否かを判断する（Ｓ３０３）。ユーザ設定値の変更は、画質調整項目が選択された状態でユーザがリモコンの上下キーを押下すること等によって行われる。
【００３１】
ユーザからの指示によってユーザ設定値が変更された場合には、画質調整ＧＵＩ実行部１０７が、画像処理制御部１０６にユーザ設定値を送信し（Ｓ３０４）、Ｓ３０５へ進む。それにより、画像処理制御部１０６でユーザ設定値がパラメータに変換され、第１画像処理部１２１または第２画像処理部１２２に設定される。ユーザからの指示によってユーザ設定値が変更されなかった場合には、Ｓ３０５へ進む。
【００３２】
Ｓ３０５では、画質調整ＧＵＩ実行部１０７が、ＧＵＩ生成部１０８に対して画質調整ＧＵＩの更新を指示する。画質調整ＧＵＩの更新は、例えば、表示するユーザ設定値の変更や選択されている画質調整項目の変更等である。
そして、画質調整ＧＵＩ実行部１０７は、パッチ生成部１０９に参照用パッチ画像の生成を指示する（Ｓ３０６）。参照用パッチ画像の生成位置および大きさは、画質調整ＧＵＩのデザインに応じて、表示パネルに表示されないように、すなわち、画質調整ＧＵＩの透過率が０であるパーツによって隠れるように設定される。また、参照用パッチ画像の画素値として、第１画像と同じ画素値が用いられる。
【００３３】
次に、画質調整ＧＵＩ実行部１０７は、画素値取得部１２４に対して、取得する画素値の座標（参照用パッチ画像の画素の座標；画素値取得座標）を通知し（Ｓ３０７）、Ｓ３０１へ戻る。具体的には、画質調整ＧＵＩ実行部１０７は、参照用パッチ画像の中心座標を画素値取得部１２４へ通知する。
【００３４】
次に、ＧＵＩ生成部１０８について詳細に説明する。図４は、ＧＵＩ生成部１０８の処理を表すフロー図である。
まず、ＧＵＩ生成部１０８は、画質調整ＧＵＩ実行部１０７より画質調整ＧＵＩの更新が指示されるのを待つ（Ｓ４０１）。更新が指示されると、ＧＵＩ生成部１０８は、画質
調整ＧＵＩを構成するパーツのうち、第１画像を生成する（Ｓ４０２）。第１画像には画像処理ＬＳＩにおいて画像処理を施す必要はないため、第２グラフィックスバッファ１０５へ出力する。即ち、第１画像は、画像処理回路を通されずに画像処理前の画像として表示部に表示されることとなる。
【００３５】
次に、ＧＵＩ生成部１０８は、第２画像をグラフィックス信号として転送するか映像信号として転送するかを判断する（Ｓ４０３）。即ち、画像処理回路を通していない第２画像を画像処理後の画像として表示部に表示するか、画像処理回路から出力される画像を画像処理後の画像として表示部に表示させるかを判断する。判断は転送経路切替判断部１１０に転送経路を問い合わせることによって行われる。
【００３６】
Ｓ４０３において、第２画像を映像信号として転送すると判断された場合には、ＧＵＩ生成部１０８は第２画像を第１グラフィックスバッファへ出力する（Ｓ４０４）。このとき、第２画像の画素値は、第１画像の画素値と同じとされる。
【００３７】
Ｓ４０３において、第２画像をグラフィックス信号として転送すると判断された場合には、ＧＵＩ生成部１０８は、転送経路切替判断部１１０より画素値を取得する（Ｓ４０５）。そして、第２画像としてＳ４０５で取得した画素値の代替画像を生成し、該第２画像を第２グラフィックスバッファへ出力する（Ｓ４０６）。
【００３８】
最後に、ＧＵＩ生成部１０８は、画質調整ＧＵＩを構成するパーツのうち、第１，２画像以外のパーツを生成し、第２グラフィックスバッファへ出力する（Ｓ４０７）。
【００３９】
次に、転送経路切替判断部１１０について詳細に説明する。本実施形態では、転送経路切替判断部１１０は、通常は、第２画像を映像信号として転送すると判断する。そして、ユーザに入力されたパラメータの値が０から所定の範囲内の場合に、第２画像をグラフィックス信号として転送すると判断する。また、第２画像をグラフィックス信号とする場合、第２画像の画素値は、パラメータの値が０のときに画像処理前の画像と画像処理後の画像の画素値の差分が０となり、且つ、差分がパラメータの値に比例して変化するように決められる。
【００４０】
図５は、転送経路切替判断部１１０の構成の概略を表すブロック図である。
補正後画素値入力部６０１は、画素値取得部１２４より、画像処理後の参照用パッチ画像（パッチ生成部１０９によって生成され、全ての画像処理が施された参照用パッチ画像）の画素値Ａ１を取得し、補間テーブル作成部６０４へ通知する。
補正前画素値入力部６０２は、画質調整ＧＵＩ実行部１０７より、画像処理前の参照用パッチ画像の画素値Ａ２を取得し、補間テーブル作成部６０４へ通知する。
ユーザ設定値入力部６０３は、画質調整ＧＵＩ実行部１０７より、現在のユーザ設定値Ｕを取得し、補間テーブル作成部６０４、補正後画素値出力部６０７、及び、切替判断部６０６へ通知する。
【００４１】
補間テーブル作成部６０４は、画素値Ａ１、画素値Ａ２、及び、ユーザ設定値Ｕを用いて、パラメータの値と画素値の関係を表す１次関数を算出する。具体的には、パラメータの値が０のときの画素値が画像処理回路に入力される画像の画素値となり、パラメータの値がユーザに入力されたパラメータの値のときの画素値が画像処理回路から出力される画像の画素値となる１次関数を算出する。そして、該１次関数から画素値Ａ１，Ａ２間を補間する補間テーブルを生成し、補間テーブル記憶部６０５へ記憶する。なお、補間テーブルを生成せずに、関数そのものを記憶する構成であってもよい。
【００４２】
例えば、画素値Ａ１＝３０、画素値Ａ２＝１０、ユーザ設定値Ｕ＝５の場合、傾きが（
３０−１０）／５、切片が１０の１次関数が算出される。即ち、パラメータの値（ユーザ設定値）をＸ、画素値をＹとすると、１次関数はＹ＝４×Ｘ＋１０となる。この１次関数から得られる補間テーブルの例を図６に示す。補間テーブルは、ユーザ設定値毎の画素値を表すテーブルである。
【００４３】
なお、算出する１次関数の傾きはユーザ設定値Ｕが変化するごとに変化するため、補間テーブル作成部６０４は、ユーザ設定値入力部６０３よりユーザ設定値を受け取る度に（即ち、ユーザによってパラメータの値が入力される度に）１次関数の算出を行う。そして、本実施形態では、算出された１次関数の傾きが所定値以下の値から所定値より大きな値へ切り替わった場合に、該１次関数を特定直線とし、特定直線から得られる補間テーブルを特定テーブルとして補間テーブル記憶部６０５へ記憶する。特定テーブルは、第２画像をグラフィックス信号として転送する際に、該第２画像の画素値を決定するために参照される。
【００４４】
補間テーブル記憶部６０５は、補間テーブル作成部６０４の作成した補間テーブルを記憶し、切替判断部６０６および補正後画素値出力部６０７からの要求に応じて、画素値を出力する。
【００４５】
切替判断部６０６は、ＧＵＩ生成部１０８からの要求に応じて、第１画像を映像信号として転送するかグラフィックス信号として転送するかを通知する。図７は、切替判断部６０６の処理を表すフロー図である。
まず、切替判断部６０６は、ユーザ設定値入力部６０３より現在のユーザ設定値Ｕを取得する（Ｓ８０１）。
次に、切替判断部６０６は、補間テーブル記憶部６０５に記憶されているユーザ設定値Ｕを用いて生成された補間テーブルから、ユーザ設定値Ｕおよびユーザ設定値Ｕ−１に対応する画素値Ｐ（Ｕ），Ｐ（Ｕ−１）を取得する（Ｓ８０２，Ｓ８０３）。
そして、切替判断部６０６は、画素値Ｐ（Ｕ）と画素値Ｐ（Ｕ−１）の差分（Ｐ（Ｕ）−Ｐ（Ｕ−１））を所定の閾値と比較する（Ｓ８０４）。差分が閾値以上の場合には、第２画像をグラフィックス信号として転送すると判断し（Ｓ８０６）、閾値未満の場合には、第２画像を映像信号として転送すると判断する（Ｓ８０５）。すなわち、切替判断部６０６は、算出された１次関数の傾きが所定の閾値（所定値）より大きい場合に、第２画像をグラフィックス信号として転送すると判断する。
【００４６】
補正後画素値出力部６０７は、ユーザ設定値入力部６０３からユーザ設定値Ｕを取得する。そして、補間テーブル記憶部６０５に記憶されている特定テーブルから、ユーザ設定値Ｕに対応する画素値を取得し、代替画像の画素値としてＧＵＩ生成部１０８へ出力する。即ち、本実施形態では、代替画像として、特定関数を用いて生成された画像が用いられる。
【００４７】
図９は、横軸をユーザ設定値、縦軸を補正量（画像処理前のパッチ画像と画像処理後のパッチ画像の画素値の差分）を表す模式図である。点Ａ，Ｂを結ぶ直線は転送経路の切替えを行わなかった場合の補正量を表している。すなわち、転送経路の切替えを行わなかった場合にはユーザ設定値が０の場合であっても補正量は０にならない。そのため、画像処理前のパッチ画像と画像処理後のパッチ画像とで画素値が一致せず、ユーザに違和感を与えることとなる。ここで、ユーザ設定値の調整によって第１画像処理部１２１における画像処理が制御されるとすると、点Ａの補正量（ユーザ設定値が０のときの補正量）は、第２画像処理部１２２での画像処理による補正量であると考えることができる。
【００４８】
本実施形態では、ユーザに入力されたパラメータの値が０から所定の範囲内の場合に、第２画像がグラフィックス信号として転送される。即ち、全ての画像処理が施された画像
（本実施形態では画像処理部１２２から出力された画像）の代わりに代替画像が表示部に表示される。そのとき、第２画像の画素値は、パラメータの値が０のときに画像処理前の画像と画像処理後の画像の画素値の差分が０となり、且つ、差分がパラメータの値に比例して変化するように決められる。例えば、ユーザ設定値が０〜１０の場合に第２画像がグラフィックス信号として転送されたとすると、補正量は点Ｂ、点Ｃ、原点を結ぶ折れ線上の値となる。そのため、ユーザ設定値が０の場合に画像処理前のパッチ画像と画像処理後のパッチ画像の画素値を一致させることができる。また、グラフィックス信号として転送するユーザ設定値に幅があるため、点Ａ，Ｂを結ぶ直線と原点、点Ｃを結ぶ直線との傾きの差が小さくなり、ユーザ設定値によって画像処理後のパッチ画像の画素値が急激に変化してしまうことを抑制することができる。その結果、画像処理の効果を分かりやすく提示することができ、ユーザの利便性を向上することができる。
【００４９】
以上述べたように、本実施形態によれば、画像処理の効果を分かりやすく提示し、ひいては、ユーザの利便性を向上することができる。
また、本実施形態では、算出された１次関数の傾きが所定値以下の値から所定値より大きな値へ切り替わった場合に、該１次関数が特定直線とされる。そして、代替画像が特定直線を用いて生成される。それにより、図９の点Ａ，Ｂを結ぶ直線が調整対象の画像処理部以外の画像処理部のパラメータによって変化する場合に、それに合わせて特定直線を決定し、代替画像を生成することができる。そのため、ユーザ設定値によって画像処理後のパッチ画像の画素値が急激に変化してしまうことを効果的に抑制することができる。
【００５０】
なお、転送経路の切替え方法は上記方法に限らない。例えば、図９の点Ａ，Ｂを結ぶ直線が一定の場合には、転送経路の切替えが行われるユーザ設定値も一定となる。そのため、ユーザ設定値の閾値を予め記憶していればよい。そして、ユーザに入力されたユーザ設定値が０から閾値の範囲内の場合に、第２画像がグラフィックス信号として転送されればよい。それにより、１次関数を算出する場合よりも、より簡易な構成で上記効果を得ることができる。
また、代替画像の生成方法は上記方法に限らない。特定直線や代替画像の画素値（特定テーブル）が予め記憶されていてもよい。そして、予め記憶されている特定直線や特定テーブルを用いて代替画像が生成されてもよい。パラメータの値が０のときに画像処理前の画像と画像処理後の画像の画素値の差分が０となり、且つ、差分がパラメータの値に比例して変化するよう生成されれば、どのように代替画像を生成してもよい。また、代替画像そのものが予め記憶されていてもよい。
【００５１】
なお、本実施形態では、画素値取得部１２４が、画像処理が施された参照用パッチ画像の画素値（或る１点の画素値）を取得する構成としたが、画素値取得部１２４の構成はこれに限らない。例えば、画素値取得部１２４は、所定の領域の画素値（画像処理が施された参照用パッチ画像の複数色の画素値）を取得してもよい。そして、取得した複数色の画素値から、画像処理が施された参照用パッチ画像を代表する代表画素値（平均値、最大値、最小値など）を算出し、該代表画素値を用いて１次関数を算出してもよい。それにより、画像処理前の画像と画像処理後の画像が複数色の画像である場合に、第２画像の転送経路の切替えを適切に行うことができる。
【００５２】
なお、本実施形態では、画像処理前の画像及び画像処理後の画像として、パッチ画像を生成する構成としたが、生成する画像はパッチ画像に限らない。例えば、所定のパターンを有するパターン画像であってもよい。同様に、参照用の画像もパッチ画像（参照用パッチ画像）に限らない。
なお、本実施形態では、参照用の画像、画像処理前の画像、及び、画像処理後の画像を映像信号に合成する構成としたが、そのような合成は行わなくてもよい。例えば、参照用の画像（任意の画像）のみに画像処理を施してもよい。そして、画像処理前の画像及び画
像処理後の画像のみを表示部で表示してもよい。
なお、本実施形態では、映像信号が放送信号の場合について説明したが、映像信号は放送信号に限らない。例えば、映像信号は、他の機器（ＤＶＤプレーヤ、ハードディスクレコーダなど）で生成された映像信号であってもよい。
【符号の説明】
【００５３】
１０８  ＧＵＩ生成部
１２１  第１画像処理部
１２２  第２画像処理部
【図１】
2012008380.tif 000003
【図２】
2012008380.tif 000004
【図３】
2012008380.tif 000005
【図４】
2012008380.tif 000006
【図５】
2012008380.tif 000007
【図６】
2012008380.tif 000008
【図７】
2012008380.tif 000009
【図８】
2012008380.tif 000010
【図９】
2012008380.tif 000011